(57)【特許請求の範囲】
【請求項１】
シールリップ部（１１）、（１１）を備えたゴム状弾性材製紐状シール本体（１０）の端部（１２）、（１２）に接着剤を塗布し、前記両端部（１２）、（１２）を近接させた状態で、前記シールリップ部（１１）、（１１）を受け入れるリップ溝（２１１）を形成した下側冶具（２１）上に載置する工程と、前記下側冶具（２１）の一方の側面（２１２）側であって、前記下側冶具（２１）との間で押え冶具（２４）により前記シール本体（１０）を挟持する工程と、前記下側冶具（２１）の他方の側面（２１３）から一定の間隙を保って、前記下側冶具（２１）に向かって移動可能に、押し冶具（２２）を前記シール本体（１０）に固定する工程と、前記押し冶具（２２）を前記下側冶具（２１）の前記他方の側面（２１３）に向かって、前記両端部（１２）、（１２）が当接するまで前記シール本体（１）と共に移動させる工程と、前記両端部（１２）、（１２）が当接した接合箇所（１３）を含む近傍の前記シール本体（１０）全体を覆う様に上側冶具（２３）を前記下側冶具（２１）に固定する工程と、前記冶具（２１）、（２３）を加熱して前記接合箇所（１３）を加熱接着する工程と、前記接合されたシール本体（１）を前記冶具（２１）、（２２）、（２３）から取り出す工程とより成ることを特徴とするシール接合方法。
【請求項２】
前記シールリップ部（１１）、（１１）が、内周側に向かって伸びる２本の対象形状を呈していることを特徴とする請求項１記載のシール接合方法。
【請求項３】
前記押え冶具（２４）は、前記シールリップ部（１１）、（１１）以外の前記シール本体（１）の一部を挟持していることを特徴とする請求項１または２記載のシール接合方法。
【請求項４】
前記下側冶具（２１）及び前記上側冶具（２３）の前記接合箇所（１３）近傍の前記シール本体（１）と接する表面にフッ素樹脂皮膜を設けたことを特徴とする請求項１〜３いずれか一項記載のシール接合方法。
【請求項５】
前記押し冶具（２２）の前記シール本体（１０）と接する表面に滑り止め手段が施されていることを特徴とする請求項１〜４いずれか一項記載のシール接合方法。
【請求項６】
前記下側冶具（２１）、前記上側冶具（２３）及び前記押し冶具（２２）の固定に使用される各々のボルトに落下防止手段が施されていることを特徴とする請求項１〜５いずれか一項記載のシール接合方法。
【発明の詳細な説明】
【技術分野】
【０００１】
本発明は、シール接合方法に関する。
また、本発明は、紐状に成形したシール本体からシール部材を製作する為のシール接合方法に関する。
また、本発明は、風力発電等に使用される大型のシール部材を押し出し成形により紐状に成形した後、紐状に成形したシール本体の両端部を接合して製作するシール接合方法に関する。
【背景技術】
【０００２】
従来、紐状に押し出したゴム体の両端部に未加硫ゴム層を残しておき、一方のゴム体を拘束しているクランプ部を他方のゴム体に向かって移動させ、両端部の未加硫ゴム層を当接させた後、モールド部で未加硫ゴム層を覆い、加圧及び加熱により未加硫ゴムを加硫して接合する方法が行われていた。（特許文献１）
【０００３】
しかし、ゴム体の両端部に未加硫ゴム層を残して紐状のシール本体を成形することは困難で有った。
更に、ゴム体の両端部は自由状態（何等のガイド部材が存在しない状態）で両端部の未加硫ゴム層を当接させている為、接合面を精度良く当接させる事が困難で有った。
この為、風力発電等に使用される大型のシール部材の様に、シールリップ部を備えたシール部材の接合には不向きで有った。
【０００４】
更にまた、加圧機構を設けると共に、加熱板をモールド部とは別に設けたりしなければならず、装置全体が大型化せざるを得ない為、風力発電等に使用される大型のシール部材の様に、高所の現場で使用する用途には適していなかった。
【先行技術文献】
【特許文献】
【０００５】
【特許文献１】特開平８−７２１４６号公報
【発明の概要】
【発明が解決しようとする課題】
【０００６】
本発明は、このような課題に鑑みてなされたものであり、接合精度が要求されるシールリップ部を備えたシール部材の接合に適した接合方法であると共に、高所の現場で使用する用途に適したシール接合方法を提供することである。
【課題を解決するための手段】
【０００７】
本発明に係るシール接合方法は、シールリップ部を備えたゴム状弾性材製紐状シール本体の端部に接着剤を塗布し、前記両端部を近接させた状態で、前記シールリップ部を受け入れるリップ溝を形成した下側冶具上に載置する工程と、前記下側冶具の一方の側面側であって、前記下側冶具との間で押え冶具により前記シール本体を挟持する工程と、前記下側冶具の他方の側面から一定の間隙を保って、前記下側冶具に向かって移動可能に、押し冶具を前記シール本体に固定する工程と、前記押し冶具を前記下側冶具の前記他方の側面に向かって、前記両端部が当接するまで前記シール本体と共に移動させる工程と、前記両端部が当接した接合箇所を含む近傍の前記シール本体全体を覆う様に上側冶具を前記下側冶具に固定する工程と、前記冶具を加熱して前記接合箇所を加熱接着する工程と、前記接合されたシール本体を前記冶具から取り出す工程とより成ることを特徴とする。
【発明の効果】
【０００９】
本発明は、以下に記載されるような効果を奏する。
請求項１記載の発明のシール接合方法によれば、接合精度が要求されるシールリップ部を備えたシール部材の接合に適した接合方法であると共に、高所の現場で使用する用途に適している。
また、請求項２記載の発明のシール接合方法によれば、複数本のシールリップ部を備えたシール部材であっても、精度良く接合する事が出来る。
【００１０】
更に、請求項３記載の発明のシール接合方法によれば、シールリップ部に変形応力を作用させない為、シールリップ部を精度良く接合する事が出来る。
更に、請求項４記載の発明のシール接合方法によれば、冶具への接着剤の付着が防げる為、接合面の仕上がりが良好で有るばかりでなく、シール部材を冶具から取り出すのが容易である。
【００１１】
更に、請求項５記載の発明のシール接合方法によれば、紐状シール本体の両端部を確実に接合出来る。
更に、請求項６記載の発明のシール接合方法によれば、高所での作業を安全に行う事が出来る。
【図面の簡単な説明】
【００１３】
【図１】下側冶具に押え冶具と上側冶具を組み付けた状態の平面図。
【図２】図１の右側側面図。
【図３】図１の左側側面図。
【図４】図１の背面図。
【図５】図１の正面図。
【図６】押し冶具の平面図。
【図７】図６の側面図。
【図８】図１に示した冶具に図６の押し冶具を押し込みボルトで取り付けた状態の図。
【図９】図８の冶具にシール本体が装着された状態の図。
【図１０】図９の上側冶具を取り外した状態の立体斜視図。
【図１１】紐状シール本体の両端部を近接させた部分平面図。
【図１２】本発明に係るシール接合方法により製作されたシール部材の断面図。
【発明を実施するための形態】
【００１４】
以下、本発明を実施するための形態について説明する。
図１乃至図１０に基づき考案を実施するための形態について説明する。
【００１５】
図１０に示す様に、この種シール接合方法は、最初に、シールリップ部１１、１１を備えたゴム状弾性材製紐状シール本体１０、１０の端部１２、１２に接着剤を塗布し、ついで、この両端部１２、１２を近接させた状態で、図１乃至図５に示す、シールリップ部１１、１１を受け入れるリップ溝２１１、２１１を形成した下側冶具２１上に載置する。
この時の両端部１２、１２間の間隙は、２ｍｍ程度あり、接合工程前に両端部１２、１２に塗布した接着剤が互いに接触して、イレギュラーな接触をして接着力の低下を来さない為である。
またシール本体１０、１０を下側冶具２１上に載置する前に、接着剤を乾燥させておく事が好ましい。
【００１６】
図１乃至図５は、上側冶具２３及び押え冶具２４を下側冶具２１に取り付けた状態で示しているが、シール本体１０、１０を下側冶具２１上に載置する段階では、上側冶具２３及び押え冶具２４が下側冶具２１から取り外された状態で行われる。
【００１７】
下側冶具２１は、加熱ヒータが取り付けられる加熱ヒータ用挿入孔２１７と押し込みボルト３が螺合する押し込みボルト用ネジ穴２１８とが形成された第１の下側冶具２１４と、熱電対２が取り付けられる熱電対用挿入孔２１５を備え、第１の下側冶具２１４及び上側冶具２３とによりシールリップ部１１、１１を受け入れる為のリップ溝２１１、２１１を形成している第２の下側冶具２１６とより構成されている。そして、この第１の下側冶具２１４及び第２の下側冶具２１６は図示しないボルト手段により一体化されている。
【００１８】
ついで、図１に示す様に、下側冶具２１の一方の側面２１２側（図上左側）であって、下側冶具２１との間で押え冶具２４によりシール本体１０を挟持する。
この押え冶具２４は、図３から判る様に、シール本体１０のシールリップ部１１、１１を受け入れる為のリップ溝２１１、２１１から外れた、ハウジング側に保持されるシール本体１０の保持部１３を受け入れる為の保持部溝２１９を区画する構成としている。
この押え冶具２４を下側冶具２１側に図示しないボルト手段により固定する事により、紐状シール本体１０、１０の一方のシール本体１０（図上左側）の下側冶具２１上での移動を阻止する。
【００１９】
ついで、図８に示す様に、下側冶具２１の他方の側面２１３（図上右側）から一定の間隙を保って、下側冶具２１に向かって移動可能に、押し込みボルト３が、押し冶具２２を貫通して、下側冶具２１に形成した押し込みボルト用ネジ穴２１８に螺合している。
この押し込みボルト３を回転させる事により、押し冶具２２を下側冶具２１に向かって移動させる事が出来る為、図９に示す様に、押し冶具２２をシール本体１０に固定した後、
押し冶具２２を下側冶具２１の他方の側面２１３に向かって、紐状シール本体１０、１０の両端部１２、１２が当接するまでシール本体１と共に移動させる事が出来る。
この移動を円滑にする為に、ガイドピン４の一端が下側冶具２１に固定され、他端が押し冶具２２に設けたバカ孔に挿通されて、押し冶具２２の円滑な移動を補助している。
取付段階における、この押し冶具２２と下側冶具２１との間隙は１０ｍｍ程度あり、両端部１２、１２間を接合するのに十分な移動距離を確保している。
【００２０】
この押し冶具２２は、図６及び図７に示す様に、押し込みボルト３が貫通する押し込みボルト用貫通孔２２１を形成した第１の押し冶具２２２と、第１の押し冶具２２２と共にリップ溝２１１を形成している第２の押し冶具２２３と、押え冶具２４と同様に、シール本体１０のシールリップ部１１を受け入れる為のリップ溝２１１から外れた、ハウジング側に保持されるシール本体１０の保持部１３を受け入れる為の保持部溝２１９を区画する構成を備えた第３の押し冶具２２４とより構成されている。
【００２１】
この押し冶具２２のシールリップ部１１を除くシール本体１と接する表面は、サンドブラスト等により荒らされた表面となっている。
この事により、押し冶具２２を下側冶具２１に向かって移動させる際、押し冶具２２とシール本体１０との間で滑りが起きない為、紐状シール本体１０、１０の両端部１２、１２を確実に当接させる事が出来る。押し冶具２２の表面を荒らす代わりに、サンドペーパ等の滑り防止手段を押し冶具２２と紐状シール本体１０、１０との間に介在させても有効である。
【００２２】
ついで、図１、図９及び図１０に示す様に、両端部１２、１２が当接した接合箇所１３を含む近傍のシール本体１０全体を覆う様に上側冶具２３を下側冶具２１に固定する。
ついで、下側冶具２１に挿入した加熱ヒータにより冶具２１、２３全体を１５０℃で３０分間加熱する。
また、加熱状態は、下側冶具２１に挿入した熱電対２により確認する。
この事により、接合箇所１３を加熱接着する事が出来る。
【００２３】
最後に、接合されたシール本体１を冶具２１、２２、２３から取り出す事により、図１２に示すシール部材１が得られる。
この事により、接合精度が要求されるシールリップ部１１を備えたシール部材１の接合を精度よく達成出来ると共に、風力発電用の大型シール部材１の様に、高所の現場で使用する用途に適している。
【００２４】
この為、各冶具２１、２２、２３の構成部品を一体化する為のボルトが落下しない様に、
各構成部品に設けたネジ穴に螺合させたボルトと相互にワイヤーで連結させておく事により、ボルトの落下を防いでいる。
【００２５】
また、ゴム状弾性材製紐状シール本体１０、１０の端部１２、１２に塗布した接着剤は、ポリオレフィン系の接着剤で有るが、他の接着剤も適宜選択して用いられる。
【００２６】
本発明の実施態様のシール部材は、図１２に示す様に、シールリップ部１１、１１が、内周側に向かって伸びる２本の対象形状を呈している。
本発明のシール接合方法によれば、この様な複数本のシールリップ部１１、１１を備えたシール部材１であっても、精度良く接合する事が出来る。
【００２７】
また、押え冶具２４及び押し冶具２２は、シールリップ部１１、１１以外のシール本体１の保持部１３を挟持する構成としている為、シールリップ部１１、１１に変形応力を作用させない為、シールリップ部１１、１１を精度良く接合する事が出来る。
【００２８】
更に、下側冶具２１及び上側冶具２３の接合箇所１３近傍のシール本体１と接する表面にフッ素樹脂皮膜を設けている。
この為、冶具への接着剤の付着が防げる為、接合箇所１３の仕上がりが良好で有るばかりでなく、シール部材１を冶具から取り出すのが容易である。
【００２９】
上記接合方法によって得られたシール部材１は接合箇所１３の仕上がりが良好である為、良好なシール性能が長期に渡って維持出来る。
また、高所での作業が余儀なくされる風力発電用の大型シール部材１として特に有用である。
【００３０】
また、本発明は、上述の発明を実施するための形態に限らず本発明の要旨を逸脱することなくその他種々の構成を採り得ることはもちろんである。
【産業上の利用可能性】
【００３１】
風力発電等に使用される大型のシール部材の接合部のシール接合方法に好適に用いられる。
【符号の説明】
【００３２】
１    シール部材
２    熱電対
３    押し込みボルト
４    ガイドピン
１０  シール本体
１１  シールリップ部
１２  端部
１３  保持部
２１  下側冶具
２２  押し冶具
２３  上側冶具
２４  押え冶具
２１１リップ溝
２１２一方の側面
２１３他方の側面
２１４第１の下側冶具
２１５熱電対用挿入孔
２１６第２の下側冶具
２１７加熱ヒータ用挿入孔
２１８押し込みボルト用ネジ穴
２１９保持部溝
２２１押し込みボルト用貫通孔
２２２第１の押し冶具
２２３第２の押し冶具
２２４第３の押し冶具
３３  保持用突起
３４  傾斜面
【図１】
0005850319.tif 000002
【図２】
0005850319.tif 000003
【図３】
0005850319.tif 000004
【図４】
0005850319.tif 000005
【図５】
0005850319.tif 000006
【図６】
0005850319.tif 000007
【図７】
0005850319.tif 000008
【図８】
0005850319.tif 000009
【図９】
0005850319.tif 000010
【図１０】
0005850319.tif 000011
【図１１】
0005850319.tif 000012
【図１２】
0005850319.tif 000013